(57)【要約】【課題】  被清掃面上のゴミを被清掃面の広い範囲に渡って、安定的に捕集すること。【解決手段】  清掃ヘッド３０に少なくとも１つの側面開口部４１と清掃ロール５０を有する清掃具１０であって、側面開口部４１の下端沿いには、被清掃面から側面開口部４１へとゴミを導くゴミ誘い面部４２が設けられ、清掃ロール５０は、無孔質材料により構成される弾性ロール５１の表面を除く部分に空洞部５３を備えてなるとともに、側面開口部４１を塞ぎ、被清掃面と接触する位置に回転可能に配置されてなり、清掃ヘッド３０の移動に伴なって回転する清掃ロール５０が、被清掃面との間にゴミを押えながら、該ゴミをゴミ誘い面部４２から側面開口部４１に取り込むもの。【選択図】  図３
2014230668.tif 000002
【特許請求の範囲】
【請求項１】
清掃ヘッドに少なくとも１つの側面開口部と清掃ロールを有する清掃具であって、
側面開口部の下端沿いには、被清掃面から側面開口部へとゴミを導くゴミ誘い面部が設けられ、
清掃ロールは、無孔質材料により構成される弾性ロールの表面を除く部分に、空洞部を備えてなるとともに、側面開口部を塞ぎ、被清掃面と接触する位置に回転可能に配置されてなり、
清掃ヘッドの移動に伴なって回転する清掃ロールが、被清掃面との間にゴミを押えながら、該ゴミをゴミ誘い面部から側面開口部に取り込む清掃具。
【請求項２】
前記空洞部が、溝状空洞部である請求項１に記載の清掃具。
【請求項３】
前記空洞部が、円形孔、多角形孔、長孔を１種類又は２種類以上組み合わせてなる請求項１に記載の清掃具。
【請求項４】
前記清掃ヘッドの被清掃面に接する下面にシート状拭き材が設けられてなる請求項１〜３のいずれか１項に記載の清掃具。
【請求項５】
前記清掃ヘッドが側面開口部を備えるゴミ収容部を有し、ゴミ収容部の底面にシート状粘着材が設けられてなる請求項１〜４のいずれか１項に記載の清掃具。
【請求項６】
前記清掃ヘッドの被清掃面に接し得る下面に清掃シートが着脱自在に設けられ、清掃シートの一面にシート状拭き材を備え、他の面にシート状粘着材を備える請求項５に記載の清掃具。
【請求項７】
前記清掃ヘッドが自重により清掃ロールを被清掃面との間で押し潰し、該清掃ヘッドの下面を被清掃面に当接させる請求項１〜６のいずれか１項に記載の清掃具。
【請求項８】
前記清掃ヘッドの下面とゴミ誘い面部の下端エッジとが同一水平面上に設定される請求項１〜７のいずれか１項に記載の清掃具。
【請求項９】
前記清掃ロールの表面にらせん状の細長いストリップが設けられてなる請求項１〜８のいずれか１項に記載の清掃具。
【請求項１０】
前記清掃ロールがゴミ誘い面部に当接せず、前記ストリップがゴミ誘い面部に当接する請求項９に記載の清掃具。
【発明の詳細な説明】
【技術分野】
【０００１】
本発明は清掃具に関する。
【背景技術】
【０００２】
清掃具として、特許文献１に記載の如く、清掃ヘッドに、側面開口部と回転ブラシを有するものがある。側面開口部の下端沿いには、被清掃面から側面開口部へとゴミを導くゴミ誘い面部が設けられている。回転ブラシは、被清掃面上を転動する駆動車輪の同軸上に固定され、側面開口部の前面で、被清掃面とゴミ誘い面部とに接触する位置に配置される。清掃ヘッドの移動に伴なって回転する回転ブラシが、被清掃面上のゴミを掻き上げ、該ゴミをゴミ誘い面部から側面開口部、ひいてはゴミ収容部に捕集する。
【０００３】
また、特許文献２には、両側面にやや小径の規制輪を具えた弾性ローラーとその弾性ローラーの円曲面軸方向に沿って配設したゴミ案内板を有する回転ローラー式掃除器であって、弾性ローラーを押圧回転させながら清掃面上のゴミを捕捉して前記ゴミ案内板に送り、そのままの状態でゴミ案内板上を押圧スライドさせながらゴミ収容函に収容する技術が開示されていて、弾性ローラーとしてスポンジローラーが例示されている。
【先行技術文献】
【特許文献】
【０００４】
【特許文献１】特許3641618
【特許文献２】実公昭55-23481
【発明の概要】
【発明が解決しようとする課題】
【０００５】
特許文献１に記載の清掃具には以下の問題点がある。
(1)回転ブラシは被清掃面上の粒ゴミ（米、菓子くず、土ホコリ、砂等）、毛、綿ホコリを掻き上げるものになるが、毛、綿ホコリは回転ブラシに絡んでゴミ収容部の側に投入されないことがある。多くの毛、綿ホコリが回転ブラシに絡んだときには、それらの毛、綿ホコリが被清掃面に再付着して被清掃面を汚すことになる。
【０００６】
(2)回転ブラシはその植毛間の隙間の存在により、側面開口部を塞ぐことができない。清掃ヘッドを被清掃面から持ち上げたり、反転したとき、ゴミ収容部に捕集されていた粒ゴミ等が側面開口部から出て周囲に散逸することになる。
【０００７】
(3)回転ブラシは両側の駆動車輪の同軸上に固定されている。従って、清掃ヘッドの全幅に対して占める回転ブラシの清掃範囲が狭い。また、壁際から車輪幅の範囲は清掃できない範囲になる。
【０００８】
特許文献２に記載の清掃具には以下の問題点がある。
(1)弾性ローラーとしてスポンジローラーを使用した場合には、使用開始時からスポンジ表面の孔に被清掃面上のゴミや汚れが入り込み、ゴミをゴミ収容函に収容するのが困難である。またスポンジローラーもすぐに汚れたり、目詰まりを生じたりして寿命が極めて短かった。
【０００９】
(2)弾性ローラーとして、無発泡の通常のゴムローラーを使用した場合には、ゴミをローラーに捕捉するために必要な柔らかさに関してスポンジローラーと比較して獲得し難かった。
【００１０】
本発明の課題は、被清掃面上のゴミを被清掃面の広い範囲に渡って、安定的に捕集することにある。
【課題を解決するための手段】
【００１１】
請求項１に係る発明は、清掃ヘッドに少なくとも１つの側面開口部と清掃ロールを有する清掃具であって、側面開口部の下端沿いには、被清掃面から側面開口部へとゴミを導くゴミ誘い面部が設けられ、清掃ロールは、無孔質材料により構成される弾性ロールの表面を除く部分に空洞部を備えてなるとともに、側面開口部を塞ぎ、被清掃面と接触する位置に回転可能に配置されてなり、清掃ヘッドの移動に伴なって回転する清掃ロールが、被清掃面との間にゴミを押えながら、該ゴミをゴミ誘い面部から側面開口部に取り込むようにしたものである。
【発明の効果】
【００１２】
本発明によれば、無孔質材料により構成される弾性ロールの表面を除く部分に空洞部を備えてなる清掃ロールを用いたことにより、被清掃面上のゴミを被清掃面の広い範囲に渡って、安定的に捕集することができる。
【図面の簡単な説明】
【００１３】
【図１】図１は清掃具を示す斜視図である。
【図２】図２は図１のII−II線に沿って切断した斜視図である。
【図３】図３は図１のII−II線に沿って切断した断面図である。
【図４】図４は清掃具のジョイント部を含む断面図である。
【図５】図５は清掃ヘッドの下フレームの桟を横切る断面図である。
【図６】図６は清掃ロールを示し、（Ａ）は正面図、（Ｂ）は横断面図である。
【図７】図７は清掃ヘッドを下面の側から視た斜視図である。
【図８】図８はゴミ収容部とゴミ誘い面部と清掃ロールを示す模式図である。
【図９】図９は清掃具の他の例を示す斜視図である。
【図１０】図１０は、図９の清掃具の清掃ヘッドを下面の側から視た斜視図である。
【図１１】図１１は、図９の清掃具のゴミ収容部とゴミ誘い面部と清掃ロールを示す模式図である。
【図１２】図１２は、図９の清掃具のゴミ収容部とゴミ誘い面部と清掃ロールを示す模式図である。
【図１３】図１３は清掃ロールの他の例を示し、（Ａ）は正面図、（Ｂ）は縦断面図、（Ｃ）は横断面拡大図である。
【図１４】図１４は清掃ロールの他の例を示し、（Ａ）は正面図、（Ｂ）は縦断面図、（Ｃ）は横断面拡大図である。
【図１５】図１５は清掃ロールの他の例を示す横断面図である。
【図１６】図１６は清掃ロールの他の例を示す横断面図である。
【図１７】図１７は清掃ロールの他の例を示す横断面図である。
【発明を実施するための形態】
【００１４】
図１〜図４に示した清掃具１０は、フローリング、カーペットの床等を被清掃面とし、被清掃面上の粒ゴミ（米、菓子くず、土ホコリ、砂等）、毛、綿ホコリを捕集する。清掃具１０は、柄２０の先端に設けた清掃ヘッド３０にゴミ収容部４０を有し、ゴミ収容部４０の前後に設けた前後の側面開口部４１（４１Ｆ、４１Ｒ）を有するとともに、それらの側面開口部４１を塞ぐ前後の清掃ロール５０（５０Ｆ、５０Ｒ）を有する。
【００１５】
尚、本実施形態の清掃具１０では、柄２０に加える操作力により清掃ロール５０が被清掃面上で転動され、柄２０に加える押し操作力により清掃ヘッド３０が進む方向を前方向（図３のＦ方向）とし、柄２０に加える引き操作力により清掃ヘッド３０が進む方向を後方向（図３のＲ方向）とする。
【００１６】
柄２０は、図１〜図３に示す如く、複数本の棒状体２１を順に接続した１ｍ長程度の長尺体であり、基端にグリップを備える。柄２０の先端二又部２２のスリットにはジョイント２３の連結プレート２４が差し込まれ、二又部２２に差し込まれてネジ２５で該二又部２２に固定されるブッシュ２６に連結プレート２４をピン結合している。また、ジョイント２３は、清掃ヘッド３０の上フレーム３１Ｕの前後方向（清掃ロール５０が移動により進む方向）及び左右方向（清掃ロール５０の軸方向）の中央部に設けられている、左右の支持部３２、３２の間に差し込まれ、それらの支持部３２に固定されるピン２７にピン結合されている。ピン２７は清掃ヘッド３０の左右方向に延在され、ブッシュ２６はピン２７に直交配置されている。これにより、使用者は、柄２０をブッシュ２６まわりの左右に揺動でき、かつ柄２０をピン２７まわりの前後に揺動できる。
【００１７】
柄２０は、図４に示す如く、先端の棒状体２１の中心孔にコイルばね２８を装填し、このコイルばね２８により弾発される摺動子２８Ａをジョイント２３の連結プレート２４に備えた円弧面２４Ａ（ブッシュ２６を中心とする円弧の面）に押当てて、柄２０がブッシュ２６まわりで自由に揺動するのを制動している。また、清掃ヘッド３０の上フレーム３１Ｕの後述するボス３４に設けられて上面に開口する中央孔にコイルばね２９を装填し、このコイルばね２９により弾発される摺動子２９Ａをジョイント２３に備えた円弧面２３Ａ（ピン２７を中心とする円弧の面）に押当てて、柄２０がピン２７まわりで自由に揺動するのを制動している。これにより、使用者は柄２０を掴んで清掃具１０の全体を被清掃面から持ち上げ、柄２０と清掃ヘッド３０の相対角度姿勢を変えることなく、清掃具１０の全体を当初の姿勢のまま移載できる。
【００１８】
清掃ヘッド３０は、図２〜図４に示す如く、上フレーム３１Ｕと下フレーム３１Ｌの結合体からなる。
【００１９】
上フレーム３１Ｕは清掃ヘッド３０の前後左右の全域に延在され、前後方向の両端部に設けられる円弧状のカバー部が前後の清掃ロール５０の概ね上半周を覆う。上フレーム３１Ｕは、下面の前後方向の中央部に垂設される中央リブ３３を、上フレーム３１Ｕの左右の側壁に交差する左右方向の全域に延在して備える。上フレーム３１Ｕの下面における中央リブ３３の左右方向の中央部には、前述のコイルばね２９が装填されるボス３４が下向き突設される。
【００２０】
下フレーム３１Ｌは、上フレーム３１Ｕの左右の側壁間に嵌合される枠状をなし、図７に示す如く、その四角状の外周枠３５の下面を被清掃面に摺接し得る水平面とし、外周枠３５の下面の内側に底板４３（後述する清掃シート４４）を嵌着し得る四角状の段差部３６を有する。段差部３６は底板４３を着脱し得る四角開口を形成し、底板４３の板厚分の段差深さをなす段差面３６Ａを備える。下フレーム３１Ｌの段差部３６に嵌着された底板４３の下面は、外周枠３５の下面と面一をなし、被清掃面に摺接し得るものになる。
【００２１】
下フレーム３１Ｌは、外周枠３５内の段差部３６が備える段差面３６Ａの面内に中央リブ３７を備える。中央リブ３７は外周枠３５内の前後方向の中央部に立設され、外周枠３５の左右の段差部３６に交差する左右方向の全域に延在して備える。中央リブ３７の下面は段差部３６の段差面３６Ａと面一をなす。
【００２２】
下フレーム３１Ｌは、外周枠３５の前端側と後端側の段差部３６と中央リブ３７との間に、複数本の互いに平行をなす桟３８を備える。桟３８の下面は、段差部３６の段差面３６Ａ、及び中央リブ３７の下面と面一をなす。桟３８の上面は、中央リブ３７の上部〜外周枠３５の上部に向けて延びる下り勾配の湾曲傾斜面３８Ａをなす。尚、桟３８の横断面は、図５に示す如く、上面が狭い三角断面をなし、清掃ロール５０が後述する如くに投入するゴミを下に落とし易くする。
【００２３】
下フレーム３１Ｌは、中央リブ３７の上端凹部３７Ａを上フレーム３１Ｕの中央リブ３３の下端凸部３３Ａに嵌合する状態で、中央リブ３７の下面の複数ヵ所から挿入されるネジ３９を上フレーム３１Ｕの下面取付部に螺着することにより、上フレーム３１Ｕに結合される。
【００２４】
これにより、清掃ヘッド３０は、上フレーム３１Ｕと下フレーム３１Ｌが結合され、下フレーム３１Ｌの下面の段差部３６に底板４３が嵌着された状態で、上フレーム３１Ｕと下フレーム３１Ｌの間にゴミ収容部４０を形成する。ゴミ収容部４０は、清掃ヘッド３０の前後方向の中央部で、上フレーム３１Ｕの中央リブ３３と下フレーム３１Ｌの中央リブ３７により前後に仕切られる。清掃ヘッド３０は、前後のゴミ収容部４０Ｆ、４０Ｒを有するものになり、前側のゴミ収容部４０Ｆは前方に開口する側面開口部４１Ｆを備え、後側のゴミ収容部４０Ｒは後方に開口する側面開口部４１Ｒを備える。
【００２５】
清掃具１０は、清掃ヘッド３０のゴミ収容部４０（４０Ｆ、４０Ｒ）が備える側面開口部４１（４１Ｆ、４１Ｒ）の下端沿いに、被清掃面から側面開口部４１へとゴミを導くゴミ誘い面部４２を設けている。清掃具３０の下フレーム３１Ｌの前側と後側の外周枠３５の外側面が、清掃ロール５０の全長に渡って、清掃ロール５０の外周に摺接し、又は清掃ロール５０の外周に微小隙間を介する円弧面状のゴミ誘い面部４２となる。外周枠３５の下面に対し鋭角をなして交差するゴミ誘い面部４２の下端エッジ４２Ａは、清掃具１０の移動時に、被清掃面に密着して摺接し、被清掃面上のゴミをゴミ誘い面部４２の上にすくい上げる。ゴミ誘い面部４２の上端エッジ４２Ｂも鋭角をなし、この上端エッジ４２Ｂに向かって回転してくる清掃ロール５０（例えば清掃具１０の前方（図３のＦ方向）移動時の場合には、清掃具１０の後方（図３のＲ方向）に位置する図３の清掃ロール５０Ｒ）まわりで、ゴミ収容部４０（４０Ｒ）中のゴミがこの上端エッジ４２Ｂから押さえロール５０（５０Ｒ）に入り込みにくくしている（図３）。
【００２６】
このとき、ゴミ収容部４０（４０Ｆ、４０Ｒ）の底部は、下フレーム３１Ｌの外周枠３５の段差部３６に嵌着される底板４３により封止されている。底板４３は、図７に示す如く、清掃シート４４により構成できる。清掃シート４４は、厚紙等からなる保形層４４Ａの下面に不織布等からなるシート状拭き材４４Ｂを接着されて備え、保形層４４Ａの上面に接着剤が塗工されたシート状粘着材４４Ｃを備える。外周枠３５の段差部３６内で面一をなす段差面３６Ａ、中央リブ３７と桟３８の下面に、テフロン（登録商標）コート等の剥離容易コートを施し、これらの面に清掃シート４４のシート状粘着材４４Ｃを剥離容易に貼着する。これにより、清掃シート４４は、シート状拭き材４４Ｂの下面が清掃ヘッド３０の被清掃面に接する下フレーム３１Ｌの外周枠３５の下面と面一をなすように、外周枠３５の段差部３６に着脱自在に設けられるものになる。清掃具１０による清掃時に、ゴミ誘い面部４２の下端エッジ４２Ａをすり抜けた被清掃面上の土ホコリ等の細かいゴミをシート状拭き材４４Ｂにより拭き取る。また、清掃ロール５０がゴミ誘い面部４２との間に挟んで、側面開口部４１からゴミ収容部４０に投入したゴミは、シート状粘着材４４Ｃにより保持される。
【００２７】
清掃具１０は、清掃ヘッド３０（上フレーム３１Ｕ）の左右の側壁の前側と後側のそれぞれに、前後の清掃ロール５０（５０Ｆ、５０Ｒ）の両端部を枢支する。清掃ロール５０は、図６に示す如く、ゴム等の無孔質材料により構成された弾性ロール５１となる中空筒状体５２の表面を除く部分に空洞部５３を備え、この筒状体５２を硬質プラスチック、又はアルミパイプ等の金属からなるシャフトチューブ５４の外周の全周、全長に被着して形成される。本実施例の弾性ロール５１はゴム等の中空筒状体５２からなり、該筒状体５２の内周の周方向に沿う複数カ所（例えば８カ所）のそれぞれに、該筒状体５２の軸方向の一端から他端の全長に渡って延在する溝状空洞部５３を備える。本明細書で空洞部（本実施形態では溝状空洞部５３）とは、シャフトチューブ５４が挿入される孔部分を含まない空洞部を指す。清掃ロール５０は、弾性ロール５１となる筒状体５２の表面を除く部分（筒状体５２の内部部分）に空洞部５３を備えることにより、弾性ロール５１の表面にゴミや汚れが入り込む孔を生じないうえ、弾性ロール５１の表面にゴミを食い込ませて捕捉するに必要な柔らかさを具備する。弾性ロール５１の形態の変形例と弾性ロール５１の材質については、後述する。尚、溝状空洞部５３は、筒状体５２の軸方向の一端から他端の全長に渡って延在していなくても良く、適宜分断されていても良い。
【００２８】
清掃ロール５０は、ゴミ収容部４０の側面開口部４１を塞ぎ、被清掃面と接触する位置に回転可能に配置される。また清掃ロール５０は、ゴミ誘い面部４２に好ましくは接触する位置に回転可能に配置される。尚、図８に示すように、清掃ロール５０における弾性ロール５１の表面に食い込んだ被清掃面上の粒ゴミ等を、清掃ロール５０の回転によりゴミ誘い面部４２に誘い込み、更にゴミ誘い面部４２上を挟圧して滑り上げた後、弾性ロール５１の弾発力で側面開口部４１からゴミ収容部４０に投入することができれば、清掃ロール５０はゴミ誘い面部４２と一定の微小隙間を介して回転可能に配置しても良い。微小隙間の量は、捕集されるゴミの大きさにより適宜設定することができる。更に清掃ロール５０は、弾性ロール５１の筒状体５２における両端開口に差し込み固定したキャップ５５を有する。清掃ヘッド３０の上フレーム３１Ｕの左右の側壁に螺着固定された支軸５６が、このキャップ５５の中心孔に通され、清掃ロール５０を清掃ヘッド３０に枢支する。
【００２９】
清掃ロール５０は、弾性ロール５１を軸方向で硬さの異なる複数のロール材からなるものとすることができる。弾性ロール５１の両端側２位置に主となるロール材よりも硬いロール材を設けるとき、弾性ロール５１の被清掃面への押付圧力を増し、被清掃面に対する清掃ロール５０のグリップ力、ひいては摩擦回転力を向上するものになる。
【００３０】
清掃具１０は、好ましくは被清掃面上に置かれた自由状態で、清掃ヘッド３０が柄２０を含む自重により清掃ロール５０の弾性ロール５１を被清掃面との間で押し潰し、清掃ヘッド３０の下面（下フレーム３１Ｌの外周枠３５の下面）を被清掃面に当接させるものにする。これは、柄２０を含む清掃ヘッド３０の自重と、弾性ロール５１の反発力の兼ね合いにより設定される。このとき、清掃ヘッド３０の下面（下フレーム３１Ｌの外周枠３５の下面）と、外周枠３５の下面により決定されるゴミ誘い面部４２の下端エッジ４２Ａとは、同一水平面上に設定される。尚、清掃ヘッド３０の下面（下フレーム３１Ｌの外周枠３５の下面）は、被清掃面上を滑り易くするように、テフロン（登録商標）処理等施されることが好ましい。
【００３１】
従って、清掃具１０によれば、以下の如くに清掃動作するものになる。尚、使用者が柄２０により清掃ヘッド３０を前方（図３のＦ方向）に移動させるとき、前側の清掃ロール５０Ｆが被清掃面に密着して転動しながら清掃動作を行ない、清掃ヘッド３０を後方（図３のＲ方向）に移動させるとき、後側の清掃ロール５０Ｒが被清掃面に密着して転動しながら清掃動作を行なう。清掃ヘッド３０の上下のフレーム３１Ｕ、３１Ｌの可及的全幅に渡って清掃ロール５０、ゴミ誘い面部４２、清掃シート４４（拭き材４４Ｂ）を存在させることにより、被清掃面を壁際まで清掃できる。
【００３２】
(a)清掃ロール５０は、図８に示す如く、被清掃面上の粒ゴミ等を食い込ませるように弾性ロール５１を変形させ、食い込んだ粒ゴミ等を被清掃面上に押さえ込んだまま被清掃面上を転動し、その粒ゴミ等をゴミ誘い面部４２の側へ運び込む。清掃ロール５０の弾性ロール５１に食い込んだ粒ゴミ等は、ゴミ誘い面部４２に誘い込まれ、更にゴミ誘い面部４２上を挟圧されて滑り上げられた後、弾性ロール５１の弾発力で側面開口部４１からゴミ収容部４０に投入される。尚、図８は説明の便宜上、清掃ロール５０とゴミ誘い面部４２と間に一定の微小隙間を設けているように描いているが、前述のように、清掃ロール５０とゴミ誘い面部４２とを接触させても良い。
【００３３】
(b)清掃ロール５０は、ゴミ誘い面部４２の下端エッジ４２Ａによりすくい上げられた毛、綿ホコリ等を、ゴミ誘い面部４２に誘い込み、更にゴミ誘い面部４２上に挟圧して滑り上げた後、弾性ロール５１の弾発力で側面開口部４１からゴミ収容部４０に投入される。
【００３４】
(c)清掃ロール５０は、ゴム等の無機質材料により弾性ロール５１を形成しているから、その表面に土等の粒ゴミが入り込む孔がなく、ロール表面を汚れにくくすることができ、交換する頻度を低減できる。また、清掃ロール５０はロール表面に毛、綿ホコリを捕捉したとき、これらを静電付着することがなく、側面開口部４１からゴミ収容部４０へと投入できる。
【００３５】
(d)清掃ロール５０はゴミ収容部４０の側面開口部４１を閉塞する。清掃具１０を被清掃面から持ち上げたり、反転したとき、ゴミ収容部４０に捕集されていた粒ゴミ等が側面開口部４１から出て周囲に散逸することがない。
【００３６】
(e)清掃ロール５０は、自ら被清掃面上を転動しながら回転し、両端側に駆動車輪を伴なわない。従って、清掃具１０の全幅に対して占める清掃ロール５０による清掃範囲が広い。また、清掃ロール５０は壁際近くまで入ることができ、壁際近くの清掃できない範囲を殆ど生じない。
【００３７】
(f)清掃ヘッド３０の被清掃面に接する下面にシート状拭き材４４Ｂが設けられる。被清掃面上の土ホコリ等の細かいゴミは、ゴミ誘い面部４２の下端エッジ４２Ａと被清掃面との隙間をすり抜けても、清掃ヘッド３０の下面の拭き材４４Ｂにより拭き取られる。
【００３８】
(g)清掃ヘッド３０が側面開口部４１を備えるゴミ収容部４０を有し、ゴミ収容部４０の底面にシート状粘着材４４Ｃが設けられる。ゴミ収容部４０の底面に既に取り込んだ粒ゴミ、毛、綿ホコリ等を粘着材４４Ｃにより保持する。清掃具１０の移動に伴なう慣性力に対し、それらのゴミを保持する。例えば清掃具１０の進行方向に対する逆方向に設けられている後方の清掃ロール５０Ｒの回転により、それらのゴミが後方の側面開口部４１Ｒから引きずり出されるのを防止する。
【００３９】
(h)清掃ヘッド３０の被清掃面に接する下面に清掃シート４４が着脱自在に設けられ、清掃シート４４の一面にシート状拭き材４４Ｂを備え、他の面にシート状粘着材４４Ｃを備える。１枚の清掃シート４４を清掃ヘッド３０の下面に貼着することにより、上述の拭き材４４Ｂと粘着材４４Ｃを設けることができる。ゴミ収容部４０に捕集されたゴミは、清掃ヘッド３０の下面から清掃シート４４を剥離することにより、該清掃シート４４の粘着材４４Ｃに保持した状態で処分できる。
【００４０】
(i)弾性ロール５１が筒状体５２の表面を除く部分に空洞部５３を備えているから、粒ゴミを食い込ませるに必要な柔らかさを具備できる。
【００４１】
(j)弾性ロール５１が柔らか過ぎるとき、粒ゴミの食い込みによる捕捉性は良いが、フローリング等の被清掃面に対する反発力が小さく、清掃ロール５０の回転に必要な摩擦回転力が得られない場合がある。そこで、弾性ロール５１の例えば両端側２カ所等に硬いロール材を設けることにより、このロール材が被清掃面に対する大きな反発力を生じ、清掃ロール５０を被清掃面上で安定的に転動できる。
【００４２】
(k)清掃ヘッド３０が自重により弾性ロール５１を被清掃面との間で押し潰し、該清掃ヘッド３０の下面を被清掃面に当接させる。
【００４３】
清掃具１０の柄２０を持った使用者が後退しながら清掃ヘッド３０を後方移動させるとき、使用者の操作力が清掃ヘッド３０を被清掃面から引き上げ気味になっても、清掃ヘッド３０は自重で弾性ロール５１を押し潰し、該清掃ヘッド３０の下面を被清掃面に当接させて浮かせることがない。これにより、清掃ヘッド３０の後方移動時にも、安定的に清掃できる。
【００４４】
清掃具１０の柄２０を持った使用者がそのまわりに清掃ヘッド３０をスイング移動（使用者を中心にした、左右往復の回転移動のこと）させるとき、使用者の操作力が清掃ヘッド３０を被清掃面に押し付けなくても、清掃ヘッド３０は自重で弾性ロール５１を押し潰し、該清掃ヘッド３０の下面を被清掃面に当接させて浮かせることがない。これにより、清掃ヘッド３０のスイング移動時にも、安定的に清掃できる。
【００４５】
使用者が清掃ヘッド３０を被清掃面に押し付ける操作力が弱くても、強くても、弾性ロール５１は一定のつぶれ量δ（図３）（例えば１ｍｍ）を付与された状態で、被清掃面上を転動し、被清掃面上のゴミを安定的に捕捉する。
【００４６】
(l)上述(k)において、清掃ヘッド３０の下面とゴミ誘い面部４２の下端エッジ４２Ａとが同一水平面上に設定される。従って、清掃ヘッド３０の下面を被清掃面上に摺接させて移動するとき、ゴミ誘い面部４２の下端エッジ４２Ａが必ず被清掃面上を滑り、清掃ロール５０に食い込ませた粒ゴミ等をゴミ誘い面部４２に安定的に誘い込み、或いは被清掃面上の毛、綿ホコリ等をゴミ誘い面部４２に安定的に誘い込みできる。
【００４７】
図９、図１０に示した清掃具１０は、図１〜図８に示した清掃具１０の変形例であり、清掃ロール５０の表面に１条又は複数条の細長い形状を有するストリップ６０をらせん状に巻き付けて接着剤等で適宜清掃ロール５０の表面に固定したものである。ストリップ６０の横断面は、図１１、図１２に示す如く、四角断面又は三角断面等を採用できる。
【００４８】
清掃具１０において、清掃ロール５０はゴミ誘い面部４２に当接せず、ストリップ６０はゴミ誘い面部４２に当接することが好ましい。即ち、清掃ロール５０とゴミ誘い面部４２との外周間に微小隙間を設けて、清掃ロール５０の回転をスムースにさせるとともに、ストリップ６０の表面をゴミ誘い面部４２の外周に接触させる位置に配置することで、上記微小隙間より小さい大きさのゴミも、ストリップ６０とゴミ誘い面部４２の間に挟み込んで、ゴミを収集し、ゴミの捕集効率を向上させる。図１１は四角断面状ストリップ６０の上面がゴミ誘い面部４２との間にゴミを挟み込み、ストリップ６０の前面がゴミを掻き上げる状態を示している。図１２は三角断面状ストリップ６０の前面がゴミを掻き上げる状態を示している。
【００４９】
清掃具１０において、ストリップ６０とゴミ誘い面部４２の間でのゴミ挟み込み機構は、弾性ロール５１の弾性変形を主に利用する機構であり、例えば金属製の円筒の表面にストリップ６０を配置させただけでは、ストリップ６０でゴミを跳ね飛ばすことはあっても、ゴミ誘い面部４２との間での挟み込み機構とはなりにくい。
【００５０】
清掃具１０において、清掃ロール５０の表面に設けるストリップ６０をらせん状にしたことにより、ストリップ６０をストレート状とするものに比して、清掃ロール５０の回転中に、同一のストリップ６０における長手方向の各部が一度にゴミ誘い面部４２に当接せず、順にゴミ誘い面部４２に当接して摺接するものになり、その摺接に起因する清掃ロール５０の回転抵抗が小さくなって操作力を軽減できるし、清掃面上における清掃ロール５０の転動性もスムースで静粛になる。清掃ロール５０の表面に巻き付けられるストリップ６０の巻き付き角、巻き付け条数の設定により、清掃ロール５０上のストリップ６０が必ず該清掃ロール５０の軸方向の複数箇所で清掃面上に位置するものとし、これによって清掃ロール５０の転動性のスムース等を図ることが好ましい。
【００５１】
ストリップ６０は弾性体であることが好ましく、後述の清掃ロール５０で用いられる材質を適宜使用することができる。ストリップ６０と清掃ロール５０との材質が同一の場合には、ストリップ６０を接着剤等により清掃ロール５０外周表面に固定する方法に代えて、切削加工、成形加工等の加工方法を用いてストリップ６０と清掃ロール５０を一体化することもできる。
【００５２】
以下、弾性ロール５１の形態の変形例と弾性ロール５１の材質について説明する。
（清掃ロール５１の形態）
弾性ロール５１が備える空洞部５３は該弾性ロール５１の表面を除く部分に形成できるならば、前述した筒状体５２の内周の溝状空洞部に限らず、適宜採用できる。
【００５３】
図１３に示した弾性ロール５１が備える空洞部５３は、弾性ロール５１となる筒状体５２の環状肉厚部内の周方向に沿う複数カ所に、丸孔７１Ａと、筒状体５２の周方向に沿って長い長孔７１Ｂを交互に配置してなるものである。このとき、各丸孔７１Ａと各長孔７１Ｂは、筒状体５２の軸方向の一端から他端の全長に渡って貫通状に延在されている。尚、弾性ロールの軸方向と空洞部の貫通方向とが平行であっても良く、平行でなくても良い。例えば、空洞部が軸方向にらせん状に設けられていても良い。
【００５４】
図１４に示した弾性ロール５１が備える空洞部５３は、図１３に示したと同様の各丸孔７１Ａと各長孔７１Ｂを、筒状体５２の軸方向の一端又は他端から中間部まで非貫通状に延在したものである。
【００５５】
図１５に示した弾性ロール５１が備える空洞部５３は、図１３又は図１４に示した丸孔７１Ａ、長孔７１Ｂを、丸孔７２に代えたものである。
【００５６】
図１６に示した弾性ロール５１が備える空洞部５３は、図１３又は図１４に示した丸孔７１Ａ、長孔７１Ｂを、四角孔７３に代えたものである。四角孔７３の４つのコーナー部には丸味が付与されている。尚、四角孔の他に種々の多角形孔も採用することができる。
【００５７】
図１７に示した弾性ロール５１が備える空洞部５３は、図１３又は図１４に示した丸孔７１Ａ、長孔７１Ｂを、長孔７４に代えたものである。
【００５８】
尚、空洞部として丸孔の他に、楕円孔、陸上競技場のトラック状のトラック円孔（本明細書では、丸孔、楕円孔、トラック円孔の総称として円形孔と称する）も採用することができる。
【００５９】
また、１本の弾性ロールの空洞部に円形孔、多角形孔、長孔を１種類又は２種類以上適宜組み合わせて採用することができる。
【００６０】
（弾性ロール５１の材質）
弾性ロール５１は無孔質ロールとして使用できる材質ならば適宜使用できる。例えば、無孔質なゴムロールの表面を除く肉厚内に、工作機械で定形又は不定形の空洞部を多数形成したものを用いることができる。また、弾性ロールを成形で製造する場合には、空洞部は中子を用いることで設けることができる。ここで、本明細書で無孔質材料とは、スポンジ等の発泡構造の材料、多孔質材料以外の材料を指す。
【００６１】
無孔質ロールの材料として天然ゴム、合成ゴム、熱可塑性エラストマー等のエラストマー材料及びゲル等が挙げられる。天然ゴムロールとして、ゴムノキより得られた樹液を架橋されて得られたものを用いることができる。合成ゴムロールとして、アクリルゴム、ニトリルゴム、イソプレンゴム、ウレタンゴム、クロロプレンゴム、シリコーンゴム、ブタジエンゴムや、公知の高分子材料にポリエーテル構造やポリエステル構造等を導入して得られる合成ゴムを用いることができる。熱可塑性エラストマーロールとして、ウレタン系やスチレン系やオレフィン系等の公知の熱可塑性エラストマーを用いることができる。ゲルロールとして、シリコーンゲル等を用いることができる。
【００６２】
弾性ロール５１はこれら材料又はその他の材料と複合して構成されても良い。複合の様式には、積層、混合が挙げられる。混合にあって、溶融した材料を混合しても、微粒子化された一方の材料を他方の材料に分散させても良い。また、その他の材料としては公知の高分子材料が好適である。
【産業上の利用可能性】
【００６３】
本発明によれば、無孔質材料により構成される弾性ロールの表面を除く部分に空洞部を備えてなる清掃ロールを用いたことにより、被清掃面上のゴミを被清掃面の広い範囲に渡って、安定的に捕集することができる。
【符号の説明】
【００６４】
１０  清掃具
３０  清掃ヘッド
４０  ゴミ収容部
４１  側面開口部
４２  ゴミ誘い面部
４２Ａ  下端エッジ
４２Ｂ  上端エッジ
４４  清掃シート
４４Ｂ  シート状拭き材
４４Ｃ  シート状粘着材
５０  清掃ロール
５１  弾性ロール
５２  中空筒状体
５３  空洞部
６０  ストリップ
【図１】
2014230668.tif 000003
【図２】
2014230668.tif 000004
【図３】
2014230668.tif 000005
【図４】
2014230668.tif 000006
【図５】
2014230668.tif 000007
【図６】
2014230668.tif 000008
【図７】
2014230668.tif 000009
【図８】
2014230668.tif 000010
【図９】
2014230668.tif 000011
【図１０】
2014230668.tif 000012
【図１１】
2014230668.tif 000013
【図１２】
2014230668.tif 000014
【図１３】
2014230668.tif 000015
【図１４】
2014230668.tif 000016
【図１５】
2014230668.tif 000017
【図１６】
2014230668.tif 000018
【図１７】
2014230668.tif 000019